【事件の表示】
　特願２０１２−　８７２０２号「遊技管理システム」拒絶査定不服審判事件〔平成２４年　７月１２日出願公開、特開２０１２−１３０７７６号〕について、次のとおり審決する。
【結　論】
　本件審判の請求は、成り立たない。
【理　由】
第１　手続の経緯
　本願は、平成１７年１１月２８日に出願された特願２００５−３４２１５５号の一部を平成２３年９月５日に新たな特許出願である特願２０１１−１９２３６１号とし、さらにその一部を平成２４年４月６日に新たな特許出願としたものであって、平成２６年３月２８日付けで拒絶査定（発送日：平成２６年４月１日）がなされ、これに対し平成２６年６月３０日付けで拒絶査定不服審判の請求がなされるとともに、これと同時に手続補正（以下、「本件補正」という。）がなされたものである。
 
第２　本件補正についての補正却下の決定
［補正却下の決定の結論］
　本件補正を却下する。
 
［理由］
１．本件補正の概要
　本件補正は特許請求の範囲の請求項１の記載を含む補正であり、平成２５年７月１８日付けの手続補正と本件補正の特許請求の範囲の請求項１の記載はそれぞれ、以下のとおりである（下線部は補正箇所を示す。）。
　
（補正前：平成２５年７月１８日付け手続補正書）
「【請求項１】
　遊技領域に遊技媒体が発射されて遊技が行われた結果、予め定められた始動条件が成立することによって所定の遊技動作による補助遊技を実行する補助遊技実行手段と、
　遊技媒体を受け入れない閉状態から遊技媒体を受け入れやすい開状態に変換され、発射された遊技媒体を受け入れて遊技者に遊技価値を付与する変動入賞装置と、を備える遊技用装置と、
　前記遊技用装置から出力される遊技情報を収集する遊技情報収集手段と、を備える遊技管理システムであって、
　前記遊技用装置は、
　前記補助遊技が特定の結果となった場合に、前記変動入賞装置の開状態への変換態様が異なる複数の特別遊技状態の何れかを発生させる特別遊技状態発生手段と、
　前記特別遊技状態が発生すると前記変動入賞装置を所定の回数だけ繰り返して作動させる変動入賞装置作動制御手段と、
　前記特別遊技状態が発生中であることを示す特別遊技状態信号を前記遊技情報収集手段に出力する特別遊技状態信号出力手段と、
　前記遊技領域に発射された遊技媒体の数を特定可能なアウト球数情報を前記遊技情報収集手段に出力するアウト球数情報出力手段と、
　遊技者に付与された遊技価値を特定可能なセーフ球数情報を前記遊技情報収集手段に出力するセーフ球数情報出力手段と、を備え、
　前記遊技情報収集手段は、
　前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、
　前記特別遊技状態遊技情報収集手段によって収集された前記特賞中アウト球数情報を用いて、前記遊技用装置で発生した前記特別遊技状態の概要を判別する特別遊技状態概要判別手段と、を備え、
　前記特別遊技状態遊技情報収集手段は、前記特別遊技状態信号出力手段による特別遊技状態信号の出力が終了してから、所定期間が経過するまでの期間におけるセーフ球数情報を、前記特賞中セーフ球数情報として収集可能とすることを特徴とする遊技管理システム。」
（補正後：平成２６年６月３０日付け手続補正書） 
「【請求項１】
　遊技領域に遊技媒体が発射されて遊技が行われた結果、予め定められた始動条件が成立することによって所定の遊技動作による補助遊技を実行する補助遊技実行手段と、
　遊技媒体を受け入れない閉状態から遊技媒体を受け入れやすい開状態に変換され、発射された遊技媒体を受け入れて遊技者に遊技価値を付与する変動入賞装置と、を備える遊技用装置と、
　前記遊技用装置から出力される遊技情報を収集する遊技情報収集手段と、を備える遊技管理システムであって、
　前記遊技用装置は、
　前記補助遊技が特定の結果となった場合に、前記変動入賞装置の開状態への変換態様が異なる複数の特別遊技状態の何れかを発生させる特別遊技状態発生手段と、
　前記特別遊技状態が発生すると前記変動入賞装置を所定の回数だけ繰り返して作動させる変動入賞装置作動制御手段と、
　前記特別遊技状態が発生中であることを示す特別遊技状態信号を前記遊技情報収集手段に出力する特別遊技状態信号出力手段と、
　前記遊技領域に発射された遊技媒体の数を特定可能なアウト球数情報を前記遊技情報収集手段に出力するアウト球数情報出力手段と、
　遊技者に付与された遊技価値を特定可能なセーフ球数情報を前記遊技情報収集手段に出力するセーフ球数情報出力手段と、を備え、
　前記遊技情報収集手段は、
　前記特別遊技状態におけるアウト球数情報
である
前記特別遊技状態におけるセーフ球数情報である特賞中セーフ球数情報とを特別遊技状態遊技情報として前記
　前記特別遊技状態遊技情報収集手段によって収集された前記
特別遊技状態遊技
　前記特別遊技状態遊技情報収集手段は、前記特別遊技状態信号出力手段による特別遊技状態信号の出力が終了してから、所定期間が経過するまでの期間におけるセーフ球数情報を、前記特賞中セーフ球数情報として収集可能と
し、
　
前記遊技用装置は前記変動入賞装置を複数備え、
　前記特別遊技状態の概要には、複数の前記変動入賞装置のうちいずれの変動入賞装置が開状態に変換されたものであるかを含むものであること
２．補正の適否　　
（１）補正事項
ａ．上記補正は、補正前の請求項１に記載された発明特定事項である「遊技情報収集手段」に関して、
「前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、
　前記特別遊技状態遊技情報収集手段によって収集された前記特賞中アウト球数情報を用いて、前記遊技用装置で発生した前記特別遊技状態の概要を判別する特別遊技状態概要判別手段と、を備え、」を、
「前記特別遊技状態におけるアウト球数情報
である
前記特別遊技状態におけるセーフ球数情報である特賞中セーフ球数情報とを特別遊技状態遊技情報として前記
　前記特別遊技状態遊技情報収集手段によって収集された前記
特別遊技状態遊技
ｂ．また、補正前の請求項１に記載された発明特定事項である「遊技用装置」、「特別遊技状態の概要」に関して、
「
前記遊技用装置は前記変動入賞装置を複数備え、
　前記特別遊技状態の概要には、複数の前記変動入賞装置のうちいずれの変動入賞装置が開状態に変換されたものであるかを含むものであること
（２）補正の目的、新規事項
ａ．まず、補正事項ａ．について検討すると、「特別遊技状態概要判別手段」は、補正前は、「特賞中アウト球数情報」を用いて、判別していたが、補正後は、「特別遊技状態遊技情報」を用いて、判別することとなった。この、「特別遊技状態遊技情報」は、補正後の請求項１の記載によると、「特賞中アウト球数情報」と「特賞中セーフ球数情報」を含む信号であると解せられるが、本願明細書【０１８９】によれば、「アウト球数又はセーフ球数の情報に基づいて、大当たり遊技状態毎に遊技データを収集する。」と記載され、本願明細書【０１９１】によれば、「対応判別手段６６は、・・・遊技データに基づいて、・・・判別（予測）する。」と記載されている。
　そうすると、補正前には、「特別遊技状態概要判別手段」は、「特賞中アウト球数情報」を用いて、判別していたが、補正後は、「特別遊技状態遊技情報」を用いて判別するものであるから、「特賞中セーフ球数情報」を用いて、判別することを含むことになる。したがって、補正事項ａ．は特許請求の範囲を減縮することを目的としたものといえない。また、この補正が明りようでない記載の釈明、誤記の訂正に該当しないことは明らかである。
　よって、この補正は、平成１８年法律第５５号改正附則第３条第１項によりなお従前の例によるとされる同法による改正前の特許法第１７条の２第４項の規定に違反するものである。
ｂ．次に、補正事項ｂ．について検討する。
　上記補正事項ｂ．により、「特別遊技状態の概要」の判別について、補正前には、「変動入賞装置の開状態への変換態様が異なる複数の特別遊技状態の何れか」の判別を含むものであったが、補正後には、それに加えて、「前記遊技用装置は前記変動入賞装置を複数備え」、「複数の前記変動入賞装置のうちいずれの変動入賞装置が開状態に変換されたものであるか」も含むものとなった。
　しかしながら、本願の願書に最初に添付された明細書には、第１の実施の態様、第２の実施の態様では、変動入賞装置２４Ａのみが作動し、５ラウンド又は１５ラウンド開閉動作が実行され、第３の実施の態様、第４の実施の態様では、変動入賞装置２４Ａ、変動入賞装置２４Ａがラウンド数を異ならせて作動することが記載されているが、第１の実施の態様又は第２の実施の態様と第３の実施の態様又は第４の実施の態様を組み合わせた態様、すなわち、変動入賞装置の開閉ラウンド数を複数にし、かつ、開閉ラウンド数が異なる複数の変動入賞装置を備えた態様については記載されていない。
　したがって、「遊技用装置」、「特別遊技状態の概要」に関して、「前記遊技用装置は前記変動入賞装置を複数備え、前記特別遊技状態の概要には、複数の前記変動入賞装置のうちいずれの変動入賞装置が開状態に変換されたものであるかを含むものであること」は本願の願書に最初に添付された明細書に記載されておらず、また、本願の願書に最初に添付された明細書の記載から自明の事項ともいえない。そして、願書に最初に添付された特許請求の範囲、図面からも同様なことがいえる。
　したがって、補正事項ｂ．は願書に最初に添付された特許請求の範囲、明細書及び図面（以下、「当初明細書等」という。）のすべての記載を総合することにより導かれる技術事項との関係において新たな技術事項を導入するものである。
　よって、この補正は当初明細書等に記載された事項の範囲内においてしたものということはできず、この補正は、平成１８年法律第５５号改正附則第３条第１項によりなお従前の例によるとされる同法による改正前の特許法第１７条の２第３項の規定に違反するものである。
（３）小括
　したがって、本件補正は、平成１８年法律第５５号改正附則第３条第１項によりなお従前の例によるとされる同法による改正前の特許法第１７条の２第３項及び第４項の規定に違反するので、同法第１５９条第１項において読み替えて準用する同法第５３条第１項の規定により却下すべきものである。
３．独立特許要件
　本件補正について、上記２．のとおりであるが、仮に、本件補正が限定的減縮を目的とするものとして、本件補正後の前記請求項１に記載された発明が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
（１）本件補正後の請求項１に係る発明
　補正後の請求項１に係る発明（以下、「本願補正発明」という。）は、上記１．の補正の概要において示したとおりのものである。　
（２）刊行物１
　原査定の拒絶の理由に引用された本願の出願遡及日前に頒布された刊行物である「特開２００５−１９２９９０号公報」（以下、「刊行物１」という。）には、図面と共に次の事項が記載されている（下線は当審で付した。）。
（ア）「【特許請求の範囲】
【請求項１】
　
遊技媒体を使用した遊技により入賞が発生したときに所定個数の遊技媒体を払い出すように構成されその遊技時
第１の大当たり状態及び第２の大当たり状態が発生可能な遊技機であって、前記第１及び第２の大当たり状態にある各期間中の払出遊技媒体数が互いに相違する遊技機に係る稼動データを各遊技機別に区分して集計管理する遊技場用データ管理システム
　前記
遊技機が前記第１及び第２の大当たり状態の何れかにある期間を大当たり期間として検出する検出手段
　この検出手段により検出された大当たり期間に払い出された遊技媒体数を示す大当たり中払出遊技媒体数データ、並びに当該
大当たり期間での
集計動作を行うデータ集計手段
　このデータ集計手段により集計された大当たり中払出遊技媒体数データ或いは大当たり中差引遊技媒体数データが、各大当たり状態のそれぞれについて予め設定された上限しきい値及び下限しきい値の範囲に収まっているか否かに基づいて、前
記第１及び第２の大当たり状態の何れが発生しているかを判定する判定手段
　を備えたことを特徴とする
遊技場用データ管理システム。
（イ）「【発明が解決しようとする課題】
【０００５】
　従来の遊技場用データ管理システムでは、払出パチンコ玉数がそれぞれ異なる２以上の大当たり状態が発生可能なパチンコ遊技機を管理対象とすることについて何も考慮されていないため、遊技機全体の稼動データを把握することは可能であるが、各大当たり状態に係る個別の稼動データを個別に把握することが困難になるという事情がある。特に、２以上の大当たり状態が設定されているにも関わらず、大当たり状態にあることを示す大当たり信号が１種類しか出力されないパチンコ遊技機も存在する可能性があり、このようなパ
チンコ遊技機については、遊技機の稼動データを各大当たり状態毎に区分して集計することが全く不可能になる。つまり、この種のパチンコ遊技機が管理対象であった場合、従来システムでは、各大当たり状態毎に区分した状態の稼動データを集計することが不可能になって、当該稼動データの関係により得られる各大当たり状態の遊技特性を個別に把握することが困難になるため、例えば、複合パチンコ遊技機に対する釘調整を的確に行うことが不可能になるなどの問題点が出てくる。
【０００６】
　本発明は上記事情に鑑みてなされたものであり、その目的は、２以上の大当たり状態が発生可能な遊技機、特には各大当たり状態の発生をそれぞれ示す信号が出力されない形態の遊技機が管理対象であった場合でも、
各大当たり状態に係る稼動データを個別に集計可能となる遊技場用データ管理システムを提供する
（ウ）「【発明を実施するための最良の形態】
【００２３】
　（第１の実施の形態）
　以下、本発明の第１実施例について図面を参照しながら説明する。
　図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５、第１スタート入賞口６、第２スタート入賞口７、アタッカーと呼ばれる電動役物８ａ及び９ａをそれぞれ備えた第１大型入賞口８及び第２大型入賞口９、
第１スタート入賞口６へのパチンコ玉（遊技媒体）の入賞が動作開始契機とされた第１図柄表示部１０、第２スタート入賞口７へのパチンコ玉の入賞が動作開始契機とされた第２図柄表示部１１が設けられている
【００２４】
　
第１図柄表示部１０は、第１スタート入賞口６へのパチンコ玉の入賞に応じて行われる所定の大当たり確率の第１抽選動作の結果を表示し、第２図柄表示部１１は、第２スタート入賞口７へのパチンコ玉の入賞に応じて行われる所定の大当たり確率の第２抽選動作の結果を表示する
【００２５】
　この場合、
第１図柄表示部１０にぞろ目図柄が表示された状態で第１大当たり条件が成立し、第２図柄表示部１１にぞろ目図柄が表示された状態で第２大当たり条件が成立
第１大当たり条件が成立したときには、第１大型入賞口８の電動役物８ａ（アタッカー）が予め決められたモードにて所定期間だけ開放され、以て当該入賞口８への入賞率が極端に高められた第１の大当たり状態（以下これを第１大当たりと呼ぶ）を呈するものである。また、第２大当たり条件が成立したときには、第２大型入賞口９の電動役物９ａ（アタッカー）が予め決められたモードにて所定期間だけ開放され、以て当該入賞口９への入賞率が極端に高められた第２の大当たり状態（以下これを第２大当たりと呼ぶ）を呈するものである。
【００２６】
　本実施例によるパチンコ遊技機１は、第１スタート入賞口６へのパチンコ玉入賞に応じて行われる第１抽選動作の大当たり確率を１／３５０、第２スタート入賞口７へのパチンコ玉入賞に応じて行われる第２抽選動作の大当たり確率を１/１６０に設定しており、また、第１及び第２大当たりにある各期間中の継続ラウンド数、各ラウンドでの各大型入賞口８及び９への入賞可能個数、各大型入賞口８及び９への１入賞に対する払出パチンコ玉数が決まっているので、
第１大当たりが発生したときの平均的な差玉数が１８００個前後、第２大当たりが発生したときの平均的な差玉数が１２００個前後となる。つまり、パチンコ遊技機１にあっては、第１及び第２大当たりにある各期間中の払出パチンコ玉数の合計値（払出遊技媒体数）が互いに異なった状態となっている。
（エ）「【００２９】
　このように構成された
パチンコ遊技機１には、以下に述べるような各信号を外部へ出力する機能が設けられている。
　即ち、パチンコ遊技機１は、打込パチンコ玉数を示す
アウト玉数信号、並びに賞球として払い出されたパチンコ玉の数を示すセーフ玉数信号を出力する
パチンコ遊技機１は、第１図柄表示部１０による図柄変動動作の実行（以下、これを第１スタートと呼ぶ）毎に第１スタート信号を出力し、第２図柄表示部１１による図柄変動動作の実行（以下、これを第２スタートと呼ぶ）毎に第２スタート信号を出力する
この大当たり信号は、パチンコ遊技機１が第１或いは第２大当たりにある各期間中を通じて継続的に出力される
【００３０】
　図１には、本実施例による
パチンコホール用管理システム
パチンコホール内に多数台ずつ設置されたパチンコ遊技機１及び台間玉貸機１２は、互いの間で信号の授受を行い得るように構成されている。
れ、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、大当たり信号などが出力される。」
（オ）「【００３３】
　入出力装置１４は、店内ＬＡＮ１５に接続されており、この店内ＬＡＮ１５には、パチンコホールの管理事務所内に設置された
管理コンピュータ１６（検出手段、データ集計手段、判定手段に相当）
【００３４】
　
管理コンピュータ１６は、パチンコ遊技機１及び台間玉貸機１２から出力される種々の信号（アウト玉数信号、セーフ玉数信号、第１スタート信号、第２スタート信号、大当たり信号、売上信号など）に基づいて、パチンコ遊技機１についての稼動データ（アウト玉数（打込パチンコ玉数）、セーフ玉数、差玉数、稼動率、出玉率、ベース、図柄表示部１０及び１１の各スタート回数（第１スタート回数、第２スタート回数）など）、並びに台間玉貸機１２についての貸出高データ（売上金額、割数など）を集計して格納するという周知のデータ集計機能を備えた構成
（カ）「【００３６】
　
管理コンピュータ１６は、大当たり信号の出力期間に集計した稼動データに基づいて大当たり履歴データを作成するものである。
側において集計される稼動データが第１及び第２大当たりのどちらによるものかを区別できない。そこで、本実施例では
管理コンピュータ１６において、上記大当たり信号並びにパチンコ遊技機１が大当たりにある期間中の差玉数（大当たり中差玉数：大当たり中差引遊技媒体数データに相当）に基づいて、第１及び第２大当たりのどちらが発生したかを判定する構成とし
【００３７】
　即ち、パチンコ遊技機１においては、前述したように、
第１大当たりが発生したときの平均的な大当たり中差玉数は１８００個前後、第２大当たりが発生したときの平均的な大当たり中差玉数は１２００個前後となるように設定されている
【００３８】
　この場合、第１大当たりについての大当たり中差玉数用の上限しきい値及び下限しきい値を例えば「２０００」及び「１６００」に設定し、第２大当たりについての大当たり中差玉数用の上限しきい値及び下限しきい値を例えば「１４００」及び「１０００」に設定する。
　従って、大当たり信号が出力された場合に、これに伴う大当たり中差玉数を監視し、最終的に、
　１６００≦大当たり中差玉数≦２０００
の状態となったときに第１大当たりが発生したものと判定し、
　１０００≦大当たり中差玉数≦１４００
の状態となったときに第２大当たりが発生したものと判定することになる。」
（キ）「【００４４】
　図５には、図３のようなタイミングで大当たり信号を出力したパチンコ遊技機１に対応した複合データを、当該図３中に示したタイミングＴにて作成した場合の例が示されている。
　
この図５において、複合データは、大当たりの発生順を示す通し番号（「１」〜「９」）と対応付けた状態で、各大当たり履歴データ（発生時刻、大当たりの種類（「１」は第１大当たり、「２」は第２大当たり）、発生状態、大当たり間アウト、大当たり間差玉、大当たり間スタート（第１スタート回数及び第２スタート回数）、大当たり中差玉、大当たり中アウト、大当たり中セーフの組合せデータ）を記録すると共に、図３中のタイミングＴでの大当たり間アウト、大当たり間差玉、大当たり間スタートを記録した形態となっている。
【００４５】
　さらに、管理コンピュータ１６は、図５に示すように、上記のように記録した複合データ中に、以下に述べるような「第１大当たり合計」、「第２大当たり合計」、「第１大当たり平均」、「第２大当たり平均」、「実スタート比率」、「全平均」の各データを付け加えて集計する構成となっている。・・・」
（ク）「【００５４】
　（第２の実施の形態）
　上記第１実施例では、管理対象が複合パチンコ遊技機である場合について説明したが、従来から提供されている通常のパチンコ遊技機を管理対象とした場合でも、同様の効果を奏するものであり、以下においては、
通常パチンコ遊技機を管理対象とした本発明の第２実施例について、前記第１実施例と異なる部分のみ説明する。
・・・
【００５７】
　尚、
本実施例の場合、大当たりラウンド数が１５ラウンドの大当たりが本発明でいう第１の大当たり状態に相当し、大当たりラウンド数が８ラウンド及び１ラウンドの大当たりが本発明でいう第２の大当たり状態に相当する
　本実施例では、管理コンピュータ１６（図１参照）が請求項７記載の発明でいう継続回数特定手段として機能するようになる。この場合、管理コンピュータ１６は、上記図示しないパチンコ遊技機から出力される大当たり信号の出力期間に集計した稼動データに基づいて大当たり履歴データを作成するものであるが、当該大当たり信号は１種類しか出力されないため、継続ラウンド数が異なる各大当たり状態のどれが発生したか区別できず、また、パンクが発生したときの継続ラウンド数も判定できない。そこで、管理コンピュータ１６は、上記大当たり信号並びにその大当たり信号により示される大当たり状態期間中の差玉数（大当たり中差玉数：大当たり中差引遊技媒体数データに相当）と、図７に示すようなテーブルに基づいて、大当たり状態にある期間中の継続ラウンド数を特定する構成となっている。尚、図７は、上記大当たり状態での継続ラウンド数と各ラウンド中における大当たり中差玉数（下限しきい値及び上限しきい値）との関係を示すテーブルである。」
（ケ）「【００６４】
　
第１実施例では、第１スタート入賞口６及び第２スタート入賞口７を個別に設ける構成としたが、これらを一つのスタート入賞口により兼用する構成としても良い。
（コ）上記（ウ）は第１実施例についてのパチンコ遊技機の構成について記載され、「第１スタート入賞口６へのパチンコ玉（遊技媒体）の入賞が動作開始契機とされた第１図柄表示部１０、第２スタート入賞口７へのパチンコ玉の入賞が動作開始契機とされた第２図柄表示部１１が設けられている」と記載され、上記（エ）には、「第１図柄表示部１０による図柄変動動作の実行（以下、これを第１スタートと呼ぶ）毎に第１スタート信号を出力し、第２図柄表示部１１による図柄変動動作の実行（以下、これを第２スタートと呼ぶ）毎に第２スタート信号を出力する」と記載され、そして、上記（ケ）には、「第１スタート入賞口６及び第２スタート入賞口７を個別に設ける構成としたが、これらを一つのスタート入賞口により兼用する構成としても良い。」と記載されている。
　これらの記載より、パチンコ遊技機は
スタート入賞口へのパチンコ玉（遊技媒体）の入賞が動作開始契機とされ、第１図柄表示部１０、第２図柄表示部１１の図柄変動動作の実行がされ
パチンコ遊技機１
（サ）上記（ウ）には、「
第１図柄表示部１０にぞろ目図柄が表示された状態で第１大当たり条件が成立し
第１大当たり条件が成立したときには、第１大型入賞口８の電動役物８ａ（アタッカー）が予め決められたモードにて所定期間だけ開放され
第２大当たり条件が成立したときには、第２大型入賞口９の電動役物９ａ（アタッカー）が予め決められたモードにて所定期間だけ開放され
パチンコ遊技機１は、第１大当たりと第２大当たりで出玉数を異ならせている。
（シ）上記（オ）によれば、
管理コンピュータ１６
データ集計手段、判定手段に相当するものであり、パチンコ遊技機１等から出力される種々の信号を集計して格納するデータ集計手段を備えている。
管理コンピュータ１６において、上記大当たり信号並びにパチンコ遊技機１が大当たりにある期間中の差玉数（大当たり中差玉数：大当たり中差引遊技媒体数データに相当）に基づいて、第１及び第２大当たりのどちらが発生したかを判定する
（ス）上記（エ）には、「パチンコ遊技機１は、第１大当たりが発生した場合及び第２大当たりが発生した場合に大当たり信号を出力する構成、つまり第１及び第２大当たりが発生した各期間に同一の大当たり信号を出力する構成となっている。尚、この
大当たり信号
大当たりにある各期間中を通じて継続的に出力される
大当たり信号は管理コンピュータ１６（集計手段）に出力
　また、同（エ）によれば、パチンコ遊技機１は、
打込パチンコ玉数を示すアウト玉数信号、並びに賞球として払い出されたパチンコ玉の数を示すセーフ玉数信号を出力
管理コンピュータ１６
に出力
（セ）上記（カ）には、「
管理コンピュータ１６
集計
　したがって、上記（シ）における
データ集計手段は、大当たり発生毎に大当たり信号の出力期間にアウト玉数信号、セーフ玉数信号、大当たり中差玉数信号を集計
　したがって、上記（ア）〜（キ）の記載事項及び（ケ）〜（セ）の記載事項及び認定事項を総合すれば、刊行物１には次の発明（以下、「引用発明」という。）が記載されている。
「遊技媒体を使用した遊技により、スタート入賞口へのパチンコ玉（遊技媒体）の入賞が動作開始契機とされ、第１図柄表示部１０、第２図柄表示部１１の図柄変動動作の実行がされ、
　第１大当たり条件が成立したときには、第１大型入賞口８の電動役物８ａが予め決められたモードにて所定期間だけ開放され、第２大当たり条件が成立したときには、第２大型入賞口９の電動役物９ａが予め決められたモードにて所定期間だけ開放されるパチンコ遊技機１と、
　パチンコ遊技機１等から出力される種々の信号を集計して格納するデータ集計手段を備えた管理コンピュータ１６であって、
　前記パチンコ遊技機は、
　第１図柄表示部１０にぞろ目図柄が表示された状態で第１大当たり条件が成立し、第２図柄表示部１１にぞろ目図柄が表示された状態で第２大当たり条件が成立し、第１大当たりと第２大当たりで出玉数を異なり、
　大当たりにある各期間中を通じて継続的に大当たり信号を管理コンピュータ１６（集計手段）に出力し、
　打込パチンコ玉数を示すアウト玉数信号、並びに賞球として払い出されたパチンコ玉の数を示すセーフ玉数信号を管理コンピュータ１６に出力し、
　管理コンピュータ１６は、
　大当たり発生毎に大当たり信号の出力期間にアウト玉数信号、セーフ玉数信号、大当たり中差玉数信号を集計するデータ集計手段を備え、
　大当たり信号並びにパチンコ遊技機１が大当たりにある期間中の差玉数（大当たり中差玉数：大当たり中差引遊技媒体数データに相当）に基づいて、第１及び第２大当たりのどちらが発生したかを判定する判定手段を備えた、管理コンピュータ１６。」
（３）対比
　本願補正発明と引用発明とを対比する。
（ア）引用発明の「遊技媒体を使用した遊技により」は、本願補正発明の「遊技領域に遊技媒体が発射されて遊技が行われた結果」に相当する。そして、引用発明の「スタート入賞口へのパチンコ玉（遊技媒体）の入賞が動作開始契機」となることは、本願補正発明の「予め定められた始動条件が成立すること」に相当し、また、引用発明の「図柄変動動作の実行」する手段（なお、「手段」について明示的記載はないが、存在するのは明らかである。以下、同様箇所においては説明は省略する。）は、本願補正発明の「補助遊技実行手段」に相当する。
（イ）引用発明の「第１大当たり条件が成立したときには、第１大型入賞口８の電動役物８ａが予め決められたモードにて所定期間だけ開放され、第２大当たり条件が成立したときには、第２大型入賞口９の電動役物９ａが予め決められたモードにて所定期間だけ開放される」における「第１大型入賞口８」、「第２大型入賞口９」は、本願補正発明の「遊技媒体を受け入れない閉状態から遊技媒体を受け入れやすい開状態に変換され、発射された遊技媒体を受け入れて遊技者に遊技価値を付与する変動入賞装置」に相当する。したがって引用発明は、「変動入賞装置を複数備え」ていることになる。そして、引用発明の「パチンコ遊技機１」は、本願補正発明の「遊技用装置」に相当する。
（ウ）引用発明の「パチンコ遊技機等から出力される種々の信号を集計して格納するデータ集計手段を備え管理コンピュータ１６」は、本願補正発明の「遊技用装置から出力される遊技情報を収集する遊技情報収集手段」を備える「遊技管理システム」に相当する。
（エ）引用発明の「第１図柄表示部１０にぞろ目図柄が表示された状態」、「第２図柄表示部１１にぞろ目図柄が表示された状態」は、本願補正発明の「補助遊技が特定の結果となった場合」に相当し、引用発明の「第１大当たりと第２大当たり」による「第１大型入賞口８の電動役物８ａが予め決められたモードにて所定期間だけ開放され」、「第２大型入賞口９の電動役物９ａが予め決められたモードにて所定期間だけ開放され」は、本願補正発明の「特別遊技状態」を示しているに他ならない。そして引用発明は「第１大当たりと第２大当たりで出玉数を異な」るから、引用発明は大当たりにより、本願補正発明の「複数の特別遊技状態の何れかを発生させる」手段を備えているといえる。
　また、引用発明の第１大型入賞口８、９の電動役物８ａ、９ａが「予め決められたモードにて所定期間だけ開放され」は、本願補正発明の変動入賞装置が「所定の回数だけ繰り返して作動させる」ことに相当する。
（オ）引用発明の「大当たりにある各期間中」、「大当たり信号」は、それぞれ本願補正発明の「特別遊技状態が発生中」、「特別遊技状態信号」に相当するから、引用発明の「大当たりにある各期間中を通じて継続的に大当たり信号を管理コンピュータ１６（集計手段）に出力」する手段は、本願補正発明の「前記特別遊技状態が発生中であることを示す特別遊技状態信号を前記遊技情報収集手段に出力する特別遊技状態信号出力する特別遊技状態信号出力手段」に相当する。
　また、引用発明の「アウト玉数信号」、「セーフ玉数信号」は、それぞれ本願補正発明の「アウト球数情報」、「セーフ球数情報」に相当するから、引用発明の「打込パチンコ玉数を示すアウト玉数信号、並びに賞球として払い出されたパチンコ玉の数を示すセーフ玉数信号を管理コンピュータ１６に出力」する手段は、本願補正発明の「前記遊技領域に発射された遊技媒体の数を特定可能なアウト球数情報を前記遊技情報収集手段に出力するアウト球数情報出力手段と、遊技者に付与された遊技価値を特定可能なセーフ球数情報を前記遊技情報収集手段に出力するセーフ球数情報出力手段」に相当する。
（カ）引用発明の「大当たり発生毎に大当たり信号の出力期間にアウト玉数信号、セーフ玉数信号、大当たり中差玉数信号を集計するデータ集計手段」は、本願補正発明の「前記特別遊技状態におけるアウト球数情報である特賞中アウト球数情報と前記特別遊技状態におけるセーフ球数情報である特賞中セーフ球数情報とを特別遊技状態遊技情報として前記特別遊技状態の発生毎に収集する特別遊技状態遊技情報収集手段」に相当する。
　そして、引用発明の「大当たり中差玉数信号」は、本願補正発明の「特別遊技状態遊技情報」に含まれ、また、引用発明の「大当たり信号並びにパチンコ遊技機が大当たりにある期間中の差玉数（大当たり中差玉数：大当たり中差引遊技媒体数データに相当）」は「データ集計手段」から収集されることは明らかである。したがって、引用発明の「大当たり信号並びにパチンコ遊技機１が大当たりにある期間中の差玉数（大当たり中差玉数：大当たり中差引遊技媒体数データに相当）に基づいて、第１及び第２大当たりのどちらが発生したかを判定する判定手段」は、本願補正発明の「特別遊技状態遊技情報収集手段によって収集された前記特別遊技状態遊技情報を用いて、前記遊技用装置で発生した前記特別遊技状態の概要を判別する特別遊技状態判別手段」に相当する。
　また、上記（イ）より引用発明は複数の変動入賞装置を備えていることから、引用発明の「第１及び第２大当たりのどちらが発生したかを判定する判定手段」は、本願補正発明の「複数の前記変動入賞装置のうちいずれの変動入賞装置が開状態に変換されたものであるか」を判別することを可能とするものである。
　そうすると、両者は、
「遊技領域に遊技媒体が発射されて遊技が行われた結果、予め定められた始動条件が成立することによって所定の遊技動作による補助遊技を実行する補助遊技実行手段と、
　遊技媒体を受け入れない閉状態から遊技媒体を受け入れやすい開状態に変換され、発射された遊技媒体を受け入れて遊技者に遊技価値を付与する変動入賞装置と、を備える遊技用装置と、
　前記遊技用装置から出力される遊技情報を収集する遊技情報収集手段と、を備える遊技管理システムであって、
　前記遊技用装置は、
　前記補助遊技が特定の結果となった場合に、複数の特別遊技状態の何れかを発生させる特別遊技状態発生手段と、
　前記特別遊技状態が発生すると前記変動入賞装置を所定の回数だけ繰り返して作動させる変動入賞装置作動制御手段と、
　前記特別遊技状態が発生中であることを示す特別遊技状態信号を前記遊技情報収集手段に出力する特別遊技状態信号出力手段と、
　前記遊技領域に発射された遊技媒体の数を特定可能なアウト球数情報を前記遊技情報収集手段に出力するアウト球数情報出力手段と、
　遊技者に付与された遊技価値を特定可能なセーフ球数情報を前記遊技情報収集手段に出力するセーフ球数情報出力手段と、を備え、
　前記遊技情報収集手段は、
　前記特別遊技状態におけるアウト球数情報である特賞中アウト球数情報と前記特別遊技状態におけるセーフ球数情報である特賞中セーフ球数情報とを特別遊技状態遊技情報として前記特別遊技状態の発生毎に収集する特別遊技状態遊技情報収集手段と、
　前記特別遊技状態遊技情報収集手段によって収集された前記特別遊技状態遊技情報を用いて、前記遊技用装置で発生した前記特別遊技状態の概要を判別する特別遊技状態概要判別手段と、を備え、
　前記遊技用装置は前記変動入賞装置を複数備え、
　前記特別遊技状態の概要には、複数の前記変動入賞装置のうちいずれの変動入賞装置が開状態に変換されたものであるかを含むものである遊技管理システム。」
である点で一致しており、次の点で相違する。
（相違点１）
　特別遊技状態発生手段について、本願補正発明は、「変動入賞装置の開状態への変換態様が異なる」ようにしたのに対し、引用発明はそのような特定がなされていない点。
（相違点２）
　特別遊技状態遊技情報収集手段について、本願発明は、「前記特別遊技状態信号出力手段による特別遊技状態信号の出力が終了してから、所定期間が経過するまでの期間におけるセーフ球数情報を、前記特賞中セーフ球数情報として収集可能とし」たのに対し、引用発明はそのような特定がなされていない点。
（４）判断
ａ．相違点１について
　刊行物１の（ク）には、本願の第２の実施の形態として、段落番号【００５７】において、「尚、本実施例の場合、大当たりラウンド数が１５ラウンドの大当たりが本発明でいう第１の大当たり状態に相当し、大当たりラウンド数が８ラウンド及び１ラウンドの大当たりが本発明でいう第２の大当たり状態に相当することになる。」と記載されている。
　この記載によれば、変動入賞装置が開閉する大当たりラウンド数が１５ラウンド、８ラウンド、１ラウンドにする態様が示されているから、刊行物１には、変動入賞装置の開状態への変換態様が異なるようにした構成が記載されているといえる。
　したがって、引用発明の特別遊技状態発生手段において、上記刊行物１に記載された事項を採用し、前記相違点１に係る本願補正発明の構成とすることは当業者が容易になし得ることである。
ｂ．相違点２について
　一般に、パチンコ遊技機において、入賞口に入賞することにより入賞の種類に応じた賞球の払い出しが行われるが、入賞の時期と賞球の払い出しの時期にはタイムラグがあることはよく知られており、技術常識でもある。そして、特別遊技状態信号出力手段による特別遊技状態信号の出力が終了してから、所定期間が経過するまでの期間におけるセーフ球数情報を、特賞中セーフ球数情報として収集可能とし、セーフ球数を正確に求めることは、例えば、特許第２５９６５７９号公報（第２頁右欄（作用）の遅延信号の出力時間が所定期間に相当する。）、特開平７−５９９３５号公報（補正後の段落００７１のα時間が所定期間に相当する。）、特開平８−１９１９４２号公報（段落００３３の遅延タイマの作動期間が所定期間に相当する。）に記載されているように、本願の公開準備日前にパチンコ機の管理装置において周知技術である。
　そして、引用発明は、「各大当たり状態に係る稼動データを個別に集計」（上記（２）（イ）参照）することを、その課題とするものであるから、稼働データを正確に集計する必要があることは当業者にとって自明である。
　したがって、このような周知技術を引用発明の特別遊技状態遊技情報収集手段に採用し、前記相違点２に係る本願補正発明とすることは当業者が容易になし得ることである。
　また、本願補正発明の作用効果は引用発明、刊行物１に記載された事項及び周知技術からみて格別のものではない。
ｃ．請求人の主張について
　審判請求人は、平成２６年１１月７日付けで上申書を提出し、以下のような主張をしている。
　「（１）引用文献１（特開２００５−１９２９９０）のうち、特に段落［００４４］〜［００５１］には、管理コンピュータ１６が集計し出力するデータについて、遊技機が出力する稼働データに係る信号の出力態様やその判定、および大当りの別、大当り回数、連チャン回数、確変および時短の発生回数、スタート回数、遊技球数に係るデータに関する記載が認められるが、当該記載箇所の中に大型入賞口８、大型入賞口９のどちらが作動したかに関する記載は認められない。
（２）そして、引用文献１の第１の実施の形態に開示の技術において、大当りの種類の数と大入賞口の数が偶然同じであるため、大当りの種類を示すデータによっていずれの大入賞口が作動したかを、データを見た人が判断することができるだけである。」
　しかしながら、上記第２の３．（２）（ウ）【００２５】で示したように、第１大当たり条件が成立第１大型入賞口８の電動役物８ａ（アタッカー）が予め決められたモードにて所定期間だけ開放され、第２大当たり条件が成立したときには、第２大型入賞口９の電動役物９ａ（アタッカー）が予め決められたモードにて所定期間だけ開放されることが記載され、また、（カ）【００３７】、【００３８】には、管理コンピュータ１６において中差出玉数から第１大当たり、第２大当たりを判定することが記載されている。
　以上の記載より、第１大当たりは第１大型入賞口８の開放によるものであり、第２大当たりには第２大型入賞口９の開放によるものであることを、管理コンピュータが管理していることは明らかである。
　よって、請求人の主張は採用できない。
ｄ．まとめ
　したがって、本願補正発明は引用発明及び刊行物１に記載された事項及び周知技術に基づいて当業者が容易に発明できたものであり、特許法第２９条第２項の規定に基づいて特許出願の際独立して特許を受けることができない。
（５）むすび
　よって、本件補正は、平成１８年法律第５５号改正附則第３条第１項によりなお従前の例によるとされる同法による改正前特許法第１７条の２第５項において準用する同法第１２６条第５項の規定に違反するので、同法第１５９条第１項において読み替えて準用する同法第５３条第１項の規定により却下すべきものである。
第３　本願発明
　本件補正（平成２６年６月３０日付け手続補正）は、上記第２のとおり却下されたので、本願の請求項１に係る発明（以下、「本願発明」という。）は、平成２５年７月１８日付けの手続補正書により補正された、上記第２の１．で前述した特許請求の範囲の請求項１に記載された事項により特定される次のとおりのものである。
「【請求項１】
　遊技領域に遊技媒体が発射されて遊技が行われた結果、予め定められた始動条件が成立することによって所定の遊技動作による補助遊技を実行する補助遊技実行手段と、
　遊技媒体を受け入れない閉状態から遊技媒体を受け入れやすい開状態に変換され、発射された遊技媒体を受け入れて遊技者に遊技価値を付与する変動入賞装置と、を備える遊技用装置と、
　前記遊技用装置から出力される遊技情報を収集する遊技情報収集手段と、を備える遊技管理システムであって、
　前記遊技用装置は、
　前記補助遊技が特定の結果となった場合に、前記変動入賞装置の開状態への変換態様が異なる複数の特別遊技状態の何れかを発生させる特別遊技状態発生手段と、
　前記特別遊技状態が発生すると前記変動入賞装置を所定の回数だけ繰り返して作動させる変動入賞装置作動制御手段と、
　前記特別遊技状態が発生中であることを示す特別遊技状態信号を前記遊技情報収集手段に出力する特別遊技状態信号出力手段と、
　前記遊技領域に発射された遊技媒体の数を特定可能なアウト球数情報を前記遊技情報収集手段に出力するアウト球数情報出力手段と、
　遊技者に付与された遊技価値を特定可能なセーフ球数情報を前記遊技情報収集手段に出力するセーフ球数情報出力手段と、を備え、
　前記遊技情報収集手段は、
　前記特別遊技状態におけるアウト球数情報を特賞中アウト球数情報として特別遊技状態の発生毎に収集して、かつ、前記特別遊技状態におけるセーフ球数情報を特賞中セーフ球数情報として特別遊技状態の発生毎に収集する特別遊技状態遊技情報収集手段と、
　前記特別遊技状態遊技情報収集手段によって収集された前記特賞中アウト球数情報を用いて、前記遊技用装置で発生した前記特別遊技状態の概要を判別する特別遊技状態概要判別手段と、を備え、
　前記特別遊技状態遊技情報収集手段は、前記特別遊技状態信号出力手段による特別遊技状態信号の出力が終了してから、所定期間が経過するまでの期間におけるセーフ球数情報を、前記特賞中セーフ球数情報として収集可能とすることを特徴とする遊技管理システム。」
１．刊行物１
　原査定の拒絶の理由に引用された刊行物１の記載事項、引用発明は、上記第２の３．（２）に記載したとおりである。
　
２．対比・判断
　本願発明は、実質的に本願補正発明の発明特定事項から、上記第２の１．の下線部の構成を省いたものである。
　そうすると、本願発明の発明特定事項をすべて含み、さらに、他の発明特定事項を付加したものに相当する本願補正発明が、前記第２で検討したとおり、引用発明と刊行物１に記載された事項に基づいて当業者が容易に発明できたものであるから、本願発明も、同様に、引用発明と刊行物１に記載された事項に基づいて当業者が容易に発明できたものである。
　
３．むすび
　以上のとおり、本願発明は、特許法第２９条第２項の規定に基づいて特許を受けることができないものである。
　したがって、その余の請求項に係る発明について検討するまでもなく、本願は拒絶すべきである。　
　よって、結論のとおり審決する。